(57)【要約】【課題】  遊技領域にモータ駆動式の振分装置を備えたパチンコ機において、電磁石の使用により、遊技球の振り分け先が途中で予測しづらい振り分け動作を可能とし、且つ、振分装置の構造が簡単で、電磁石への通電が安定し、信頼性が高くなるようにする。【解決手段】  回転体１１の凹部１０Ａ，１０Ｂ，１０Ｃに臨む所定位置に電磁石２１を固定配置し、凹部１０Ａ，１０Ｂ，１０Ｃに遊技球が流入すると、電磁石２１が通電状態にある場合には、遊技球は回転体１１の凹部１０内で電磁石２１により吸着された状態で凹部１０Ａ，１０Ｂ，１０Ｃの移動に伴い遊技盤の盤面と略平行に移動し、電磁石２１が非通電状態にある場合には、遊技球は電磁石２１に吸着されず、重力に基いた挙動が可能となり、電磁石２１により吸着された場合とは異なる挙動となって移動するよう振分装置6を構成する。【選択図】        図６
2005287847.tif 000002
【特許請求の範囲】
【請求項１】
遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備えたパチンコ機であって、
前記振分装置に、前記凹部の移動軌跡上の所定領域にて該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とするパチンコ機。
【請求項２】
遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、
前記振分装置は、前記凹部が遊技球を前記回転体の径方向外側から流入させて、重力により径方向外側へ、あるいは径方向内側の凹部底面に沿って軸方向へ放出可能とするよう構成し、
該振分装置に、前記凹部の移動軌跡上の所定領域にて前記凹部底面の近傍で該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により前記凹部底面側に吸着した状態を保ちつつ前記凹部の移動に伴い前記遊技盤の盤面と略平行に滑らせて移動させ、該電磁石が非通電状態にある場合には該電磁石により前記凹部底面側に吸着することなく重力に基く挙動を可能とするよう構成したことを特徴とするパチンコ機。
【請求項３】
遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、
前記振分装置に、前記凹部の移動軌跡上の所定領域にて前記ベース板の前面側から該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とするパチンコ機。
【請求項４】
遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、
前記振分装置に、前記回転体を外周側から覆い、該回転体が所定回転位置にあるときに前記凹部に開口して該凹部に前記回転体の径方向外側から遊技球を流入可能とする流入口を形成する周壁を固定配置するとともに、該振分装置に、前記凹部の移動軌跡上の所定領域にて前記ベース板の前面側から該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とするパチンコ機。
【発明の詳細な説明】
【技術分野】
【０００１】
本発明は、パチンコ機、特に、モータ駆動式の振分装置を備えたパチンコ機に関する。
【背景技術】
【０００２】
パチンコ機等の遊技機において遊技領域に設置する振分装置として、入球口を有する固定配置のケース内に、モータによって回転駆動される回転体を配置し、該回転体に複数個の凹部を設け、各凹部に個別に対応する複数個の球出口をケース側に設けて、入球口から回転体の凹部に入った遊技球を回転体の回転により当該凹部に対応する球出口に振り分けるようにしたもの（例えば、特許文献１等参照。）や、回転体に永久磁石を配置し、永久磁石に吸着された遊技球を回転体の回転により特定の領域や球出口に振り分けるようにしたもの（例えば、特許文献２等参照。）が従来から知られている。しかし、これらの振分装置では、特定の球出口等に対応する凹部や永久磁石の位置が固定的であって、遊技球が回転体の特定の凹部に入球したか否か、あるいは、永久磁石に吸着される位置にきたか否かが分かった瞬間に、振り分け先の予測がついてしまい、そのため、遊技の興趣が損なわれてしまうという問題がある。
【０００３】
また、これとは別に、回転体に電磁石を配置し、電磁石を選択的にＯＮ・ＯＦＦさせることで、遊技球の吸着位置を変化させ、振り分け先を変えるようにした振分装置も従来から知られている（例えば、特許文献３参照。）。しかしながら、このような振分装置では、回転体側の導電素材に電磁石スイッチを接触させることで電磁石への通電を可能とするものであるため、構造が複雑になってしまい、また、回転体に遊技球が衝突することで接触による通電が不安定となり、また、信頼性が低くなる。
【特許文献１】特開平７−１４８３１５号公報
【特許文献２】特開平４−２１２３９３号公報
【特許文献３】特開２００３−４７７２１号公報
【発明の開示】
【発明が解決しようとする課題】
【０００４】
このように従来の振分装置は、遊技球の振り分け先が早々と予測できてしまって遊技の興趣が損なわれたり、振り分け先の予測を難しくするには構造が複雑となり、しかも振り分け動作の信頼性が低くなる
【０００５】
本発明はこうした問題を解決するもので、遊技領域にモータ駆動式の振分装置を備えたパチンコ機において、電磁石の使用により、遊技球の振り分け先が途中で予測しづらい振り分け動作を可能とし、且つ、振分装置の構造が簡単で、電磁石への通電が安定し、信頼性が高くなるようにすることを目的とする。
【課題を解決するための手段】
【０００６】
本発明のパチンコ機は、電磁石を固定配置とし、電磁石が通電状態にある場合には電磁石により吸着された遊技球を回転体で強制移動し、電磁石が非通電状態にある場合には重力に基く遊技球の挙動を可能とするよう振分装置を構成したものであり、より詳しくは、遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備えたパチンコ機であって、前記振分装置に、前記凹部の移動軌跡上の所定領域にて該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とする。
【０００７】
このパチンコ機では、遊技領域において、振分装置の回転体に形成された凹部に遊技球が流入すると、その凹部の移動軌跡上の所定領域にて該凹部に露出する電磁石が通電状態にあるか非通電状態にあるかにより、電磁石が通電状態にある場合には、遊技球は回転体の凹部内で電磁石により吸着された状態で凹部の移動に伴い遊技盤の盤面と略平行に移動し、電磁石が非通電状態にある場合には、遊技球は電磁石に吸着されず、重力に基いた挙動が可能となり、電磁石により吸着された場合とは異なる挙動となって移動する。そして、電磁石が通電状態であるか非通電状態であるかは変換制御手段により制御され、遊技者には知る術が無い。そのため、遊技球が回転体の凹部に流入しても、その遊技球がどのような挙動をするかは直ぐには分からず、振り分け先の予測がつかず、興趣が損なわれない。また、電磁石が固定配置されるので、電磁石への通電が容易で、構造簡単となり、信頼性も高くなる。
【０００８】
本発明のパチンコ機は、より具体的には、一例として、遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、前記振分装置は、前記凹部が遊技球を前記回転体の径方向外側から流入させて、重力により径方向外側へ、あるいは径方向内側の凹部底面に沿って軸方向へ放出可能とするよう構成し、該振分装置に、前記凹部の移動軌跡上の所定領域にて前記凹部底面の近傍で該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により前記凹部底面側に吸着した状態を保ちつつ前記凹部の移動に伴い前記遊技盤の盤面と略平行に滑らせて移動させ、該電磁石が非通電状態にある場合には該電磁石により前記凹部底面側に吸着することなく重力に基く挙動を可能とするよう構成したことを特徴とするパチンコ機であってよい。
【０００９】
このパチンコ機では、遊技領域において、振分装置の回転体に形成された凹部に遊技球が流入すると、その凹部の移動軌跡上の所定領域にて該凹部に露出する電磁石が通電状態にあるか非通電状態にあるかにより、電磁石が通電状態にある場合には、遊技球は回転体の凹部内で該凹部の底面側に吸着されて凹部の移動に伴い遊技盤の盤面と略平行に移動し、電磁石が非通電状態にある場合には、遊技球は電磁石に吸着されず、重力に基いた挙動が可能となり、電磁石により吸着された場合とは異なる挙動となって移動する。そして、電磁石が通電状態であるか非通電状態であるかは変換制御手段により制御され、遊技者には知る術が無い。そのため、遊技球が回転体の凹部に流入しても、その遊技球がどのような挙動をするかは直ぐには分からず、振り分け先の予測がつかず、興趣が損なわれない。また、電磁石が固定配置されるので、電磁石への通電が容易で、構造簡単となり、信頼性も高くなる。
【００１０】
また、本発明のパチンコ機は、他の例として、遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、前記振分装置に、前記凹部の移動軌跡上の所定領域にて前記ベース板の前面側から該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とするパチンコ機であってよい
【００１１】
このパチンコ機では、遊技領域において、振分装置の回転体に形成された凹部に遊技球が流入すると、その凹部の移動軌跡上の所定領域にて該凹部に露出する電磁石が通電状態にあるか非通電状態にあるかにより、電磁石が通電状態にある場合には、遊技球は回転体の凹部内でベース板の前面側から吸着されて凹部の移動に伴い遊技盤の盤面と略平行に移動し、電磁石が非通電状態にある場合には、遊技球は電磁石に吸着されず、重力に基いた挙動が可能となり、電磁石により吸着された場合とは異なる挙動となって移動する。そして、電磁石が通電状態であるか非通電状態であるかは変換制御手段により制御され、遊技者には知る術が無い。そのため、遊技球が回転体の凹部に流入しても、その遊技球がどのような挙動をするかは直ぐには分からず、振り分け先の予測がつかず、興趣が損なわれない。また、電磁石が固定配置されるので、電磁石への通電が容易で、構造簡単となり、信頼性も高くなる。
【００１２】
また、本発明のパチンコ機は、さらに他の例として、遊技領域を有する遊技盤と、前記遊技領域に投出するよう所定間隔で連続して遊技球を発射可能な遊技球発射装置と、前記遊技領域に投出された遊技球が流入可能な凹部が形成された回転体を有し、該回転体がモータにより回転駆動され、該回転体の回転に伴って前記凹部に流入した遊技球を該凹部の移動軌跡上の異なる位置に導いて放出する振分装置とを備え、前記振分装置は、前記回転体を回転駆動するモータが前記遊技盤の後方に設置され、該モータの回転軸がベース板を介し前記遊技盤に回転自在に支持されて、先端部が前記ベース板の前方へ突出し、その突出した回転軸の先端部に前記回転体が取付固定されて成るパチンコ機であって、前記振分装置に、前記回転体を外周側から覆い、該回転体が所定回転位置にあるときに前記凹部に開口して該凹部に前記回転体の径方向外側から遊技球を流入可能とする流入口を形成する周壁を固定配置するとともに、該振分装置に、前記凹部の移動軌跡上の所定領域にて前記ベース板の前面側から該凹部に露出するよう電磁石を固定配置し、該電磁石を通電状態と非通電状態とに変換する変換制御手段を設けて、前記凹部に流入した遊技球を、前記電磁石が前記凹部に露出する所定領域において、該電磁石が通電状態にある場合には該電磁石により吸着した状態を保ちつつ前記凹部の移動に伴い前記遊技盤の盤面と略平行に滑らせて移動させ、該電磁石が非通電状態にある場合には該電磁石により吸着することなく重力に基く挙動を可能とするよう構成したことを特徴とするパチンコ機であってよい。
【００１３】
このパチンコ機では、遊技領域において、振分装置の回転体外周の周壁が形成する流入口を経て回転体の凹部に遊技球が流入すると、その凹部の移動軌跡上の所定領域にて該凹部に露出する電磁石が通電状態にあるか非通電状態にあるかにより、電磁石が通電状態にある場合には、遊技球は回転体の凹部内で電磁石により吸着された状態で凹部の移動に伴い遊技盤の盤面と略平行に移動し、電磁石が非通電状態にある場合には、遊技球は電磁石に吸着されず、重力に基いた挙動が可能となり、電磁石により吸着された場合とは異なる挙動となって移動する。そして、電磁石が通電状態であるか非通電状態であるかは変換制御手段により制御され、遊技者には知る術が無い。そのため、遊技球が回転体の凹部に流入しても、その遊技球がどのような挙動をするかは直ぐには分からず、振り分け先の予測がつかず、興趣が損なわれない。また、電磁石が固定配置されるので、電磁石への通電が容易で、構造簡単となり、信頼性も高くなる。また、この例では、回転体の凹部に流入した遊技球は、電磁石により吸着されない場合でも、回転体外周側の周壁によって重力に基く挙動を制限される。そのため、電磁石を広範囲に配置する必要がなくなる。
【発明の効果】
【００１４】
このように本発明のパチンコ機は、遊技球が回転体の凹部に流入しても、その遊技球がどのような挙動をするかは直ぐには分からず、振り分け先の予測がつかず、興趣が損なわれない。また、電磁石が固定配置されるので、電磁石への通電が容易で、構造簡単となり、信頼性も高くなる。
【発明を実施するための最良の形態】
【００１５】
図１〜９は、本発明の実施の形態の第１例を示している。図１はパチンコ機の遊技盤の正面図、図２は振分装置の分解斜視図、図３は振分装置の電磁石ユニットの分解斜視図、図４は振分装置の遊技盤に取り付けた状態の斜視図、図５は振分装置の遊技盤に取り付けた状態の断面側面図、図６は振分装置の遊技盤に取り付けた状態の断面正面図であり、図７〜９は振分動作の説明図である。
【００１６】
この実施の形態（第１例）のパチンコ機は、図１に示すように、略垂直に配置される遊技盤１の前面にアウタレール２とインナレール３とで略円形の遊技領域４が画定され、所定間隔で連続して遊技球を発射可能な遊技球発射装置（図示せず）から発射された遊技球が、アウタレール２とインナレール３とで遊技領域４の正面視左側縁に沿って形成された発射球案内通路５を経て遊技領域３に投出されるよう構成されている。そして、このパチンコ機には、遊技領域４にて遊技球を入賞領域とそれ以外の領域とに振り分けるモータ駆動式の振分装置６が設けられている。
【００１７】
振分装置６は、図２〜６に示すように、略円柱状で中心部に背面側から後述の電磁石ユニット２５の筒部１８を挿入する挿入孔７とその奥で後述のモータ１３の回転軸１２を嵌挿し凹凸嵌合で固定する軸固定孔８とが連続して形成され、遊技領域４に投出され遊技盤１の前面に沿って流下する遊技球を流入可能とするよう外周面から径方向に掘り下げた形状で、背面側が全面開放され、底部に挿入孔７に対し略接線状に開かれた切欠部９を有する複数個（図示の例では３個）の凹部１０Ａ，１０Ｂ，１０Ｃが形成された回転体１１と、遊技盤１の背面側に配置され、回転軸１２を介して回転体１１を回転駆動するモータ１３と、略円板状で、中心部に後述の電磁石ユニット２５を挿通させる挿通孔１４が形成されるとともに、挿通孔１４から偏心した所定位置に遊技盤１の表裏を貫通する開口部１５に連通させて回転体１１の凹部１０Ａ，１０Ｂ，１０Ｃの底面に沿って遊技球を遊技盤１裏面側へ放出可能な球孔１６が形成され、遊技盤１の前面にネジ固定されて、後述の電磁石ユニット２５を介してモータ１３の回転軸１２を回転自在に支持するベース板１７と、略円筒状の筒部１８とその一端に形成された取付フランジ部１９とで構成されるユニット本体２０の筒部１８外周の所定位置に電磁石２１が埋設固定され、配線２２が接続されて、筒部１８がベース板１７の挿通孔１４に背面側から挿入され、取付フランジ部１９に形成された一対の係合突起２３，２３がベース板１７に形成された係合穴２４，２４に嵌合し固定される電磁石ユニット２５とで構成されている。
【００１８】
振分装置６は、モータ１３が遊技盤１の後方に設置されて、回転軸１２が遊技盤１の開口部１５から前面側に突出し、その回転軸１２に前面側から電磁石ユニット２５を組付固定したベース板１７が装着されて、ベース板１７が遊技盤１にネジ固定され、回転軸１２の先端部に回転体１１が装着固定される。そして、配線２２が、電磁石２１を通電状態と非通電状態との変換する変換制御手段を備えた主基板（図示せず）に接続される。
【００１９】
こうして遊技盤１に振分装置６が取り付けられた状態で、電磁石ユニット２５のユニット本体２０の筒部１８外周は、回転体１１の各凹部１０Ａ，１０Ｂ，１０Ｃの底部の切欠部９に臨む配置となり、それ自体は固定され、回転体１１の回転に伴い各凹部１０Ａ，１０Ｂ，１０Ｃの移動軌跡上で凹部底面の一部を構成しつつ相対移動する。そして、電磁石２１は、前記凹部底面の一部を構成しつつ相対移動する筒部１８外周の周方向の下部略３／４を占める範囲にまたがって設置されている。また、球孔１６は、基準となる凹部１０Ａが垂直方向の真上に向いた位置を原点としてベース板１７の正面視にて右方向に約６０度の位置が中心となるように設けられている。
【００２０】
この振分装置６は、モータ１３で駆動されて回転体１１が常時６秒／周の速度で正面視にて左周りに回転する。そして、所定のタイミング毎（図６に示すように基準となる凹部１０Ａが垂直方向の真上に向いた位置を原点として１２秒毎）に、通電パターンが選択され、主基板により電磁石２１の通電／非通電状態の変換制御が行われる。通電パターンは、例えば、いずれも図６に示すように基準となる凹部１０Ａが垂直方向の真上に向いた位置を原点としてスタートし、０．７５秒非通電、その後４．５秒通電、その後４．７５＋２秒非通電とする第１通電パターンと、２．７５秒非通電、その後４．５秒通電、その後２．７５＋２秒非通電とする第２通電パターンと、４．７５秒非通電、その後４．５秒通電、その後０．７５＋２秒非通電とする第３通電パターンとの三つである。
【００２１】
このパチンコ機は、遊技球発射装置（図示せず）から発射された遊技球が発射球案内通路５を経て遊技領域３に投出され、その投出された遊技球が振分装置６の回転体１１のいずれかの凹部１０Ａ，１０Ｂあるいは１０Ｃに流入すると、その凹部１０Ａ，１０Ｂあるいは１０Ｃの移動軌跡上の所定領域にて該凹部１０Ａ，１０Ｂあるいは１０Ｃに露出する電磁石２１が通電状態にあるか非通電状態にあるかにより、電磁石２１が通電状態にある場合には、遊技球は回転体１１の凹部１０内で電磁石２１により吸着された状態で凹部１０Ａ，１０Ｂあるいは１０Ｃの移動に伴い遊技盤１の盤面と略平行に移動し、電磁石２１が非通電状態にある場合には、遊技球は電磁石２１に吸着されず、重力に基いた挙動が可能となり、電磁石２１により吸着された場合とは異なる挙動となって移動する。その結果、選択された通電パターン毎に、次のとおり遊技球が振り分けられる。
【００２２】
第１通電パターン（０．７５秒非通電／４．５秒通電／４．７５＋２秒非通電）では、回転体１１が６秒／周の速度で左周りに回転するのに対し、電磁石２１は、この凹部１０Ａが垂直方向の真上に向いた位置を原点として、０．７５秒非通電／４．５秒通電／４．７５＋２秒非通電のパターンで変換制御される。
【００２３】
この場合、基準となる凹部１０Ａの移動と電磁石２１の通電状態との関係は、図７の（ａ）に示すとおりで、この凹部１０Ａが上向きから電磁石２１はＯＦＦ（非通電）で始まって左水平となるまでにＯＦＦ（非通電）からＯＮ（通電）に変わり、凹部１０Ａが球孔１６と連通する位置までＯＮ（通電）が続き、凹部１０Ａが球孔１６と連通した後でＯＦＦ（非通電）に変わる。そして、その間、電磁石２１は凹部１０Ａに露出する。そのため、この基準となる凹部１０Ａに遊技球Ｐが流入すると（遊技球Ｐはこの凹部１０Ａが上方に向いたタイミングで流入する）、遊技球Ｐは電磁石Ｐに吸着された状態で（このとき、電磁石２１に吸着された遊技球Ｐは凹部１０Ａ内に収まっているので、他の遊技球によってはじき飛ばされることがない。）、凹部１０Ａの移動に伴ってベース板１７の前面に沿って滑りつつ移動し、電磁石２１がＯＦＦとなって球孔１６から遊技盤１の背面側に放出され、所定の入賞領域に導かれ、検出スイッチ（図示せず）で検出されて、所定の遊技作動（例えば賞球払出、図柄変動等）が行われる。
【００２４】
それに対し、第１通電パターンの場合の、基準となる凹部１０Ａの左側の凹部１０Ｂの移動と電磁石２１の通電状態との関係は、図７の（ｂ）に示すとおりで、この凹部１０Ｂが左斜め下向きから電磁石２１はＯＦＦ（非通電）で始まって下向きになるまでにＯＦＦ（非通電）からＯＮ（通電）に変わり、凹部１０Ｂが左斜め上向きになるまでＯＮ（非通電）が続いて、その後、ＯＦＦ（非通電）に変わる。そのため、この左側の凹部１０Ｂに遊技球Ｐが流入しても（遊技球Ｐはこの凹部１０Ｂが上方に向いたタイミングで流入する）、凹部１０Ｂが水平から下向きになったときに、遊技球Ｐは電磁石２１に吸着されない状態となって、重力に基いて移動し、下方へ放出される。
【００２５】
また、第１通電パターンの場合の、基準となる凹部１０Ａの右側の凹部１０Ｃの移動と電磁石２１の通電状態との関係は、図７の（ｃ）に示すとおりで、この凹部１０Ｃが右斜め下向きから電磁石２１はＯＦＦ（非通電）で始まって右斜め上向きになるまでにＯＦＦ（非通電）からＯＮ（通電）に変わり、凹部１０Ｃが右斜め下向きになるまでＯＮ（非通電）が続いて、その後、ＯＦＦ（非通電）に変わる。そのため、この右側の凹部１０Ｃに遊技球Ｐが流入しても（遊技球Ｐはこの凹部１０Ｃが上方に向いたタイミングで流入する）、遊技球Ｐが流入した凹部１０Ｃが球孔１６と連通する位置まで移動する前の右斜め下向きの状態で電磁石２１がＯＦＦ（非通電）に変わり、遊技球Ｐは電磁石２１に吸着されない状態となって、重力に基いて移動し、下方へ放出される。
【００２６】
一方、第２通電パターン（２．７５秒非通電／４．５秒通電／２．７５＋２秒非通電）では、回転体１１が６秒／周の速度で左周りに回転するのに対し、電磁石２１は、基準となる凹部１０Ａが垂直方向の真上に向いた位置を原点として、２．７５秒非通電／４．５秒通電／２．７５＋２秒非通電のパターンで変換制御される。
【００２７】
この場合、基準となる凹部１０Ａの移動と電磁石２１の通電状態との関係は、図８の（ａ）に示すとおりで、この凹部１０Ａが上向きから電磁石２１はＯＦＦ（非通電）で始まって下向きになるまでにＯＦＦ（非通電）からＯＮ（通電）に変わり、凹部１０Ａが左水平となるまでにＯＦＦ（非通電）に変わる。そのため、この基準となる凹部１０Ａに遊技球Ｐが流入しても（遊技球Ｐはこの凹部１０Ａが上方に向いたタイミングで流入する）、凹部１０Ａが水平から下向きになったときに、遊技球Ｐは電磁石２１に吸着されず、重力に基いて移動し、下方へ放出される。
【００２８】
それに対し、第２通電パターンの場合の、基準となる凹部１０Ａの左側の凹部１０Ｂの移動と電磁石２１の通電状態との関係は、図８の（ｂ）に示すとおりで、この凹部１０Ｂが左斜め下向きから電磁石２１はＯＦＦ（非通電）で始まって右斜め上向きになるまでにＯＦＦ（非通電）からＯＮ（通電）に変わり、凹部１０Ｂが右斜め下向きになるまでＯＮ（非通電）が続いて、その後、ＯＦＦ（非通電）に変わる。そのため、この左側の凹部１０Ｂに遊技球Ｐが流入しても（遊技球Ｐはこの凹部１０Ｂが上方に向いたタイミングで流入する）、遊技球Ｐが流入した凹部１０Ｂが球孔１６と連通する位置まで移動する前に電磁石２１がＯＦＦ（非通電）に変わり、遊技球Ｐは電磁石２１に吸着されない状態となって、重力に基いて移動し、下方へ放出される。
【００２９】
また、第２通電パターンの場合の、基準となる凹部１０Ａの右側の凹部１０Ｃの移動と電磁石２１の通電状態との関係は、図８の（ｃ）に示すとおりで、この凹部１０Ｃが右斜め下向きから左斜め上向きになるまでＯＦＦ（非通電）で、左斜め上向きからＯＮ（通電）に変わり、凹部１０Ｃが再度右斜め上向きになるまでＯＮ（非通電）が続いて、その後、ＯＦＦ（非通電）に変わる。そして、その間、電磁石２１は凹部１０Ｃに露出する。そのため、この右側の凹部１０Ｃに遊技球Ｐが流入すると（遊技球Ｐはこの凹部１０Ｃが上方に向いたタイミングで流入する）、遊技球Ｐは電磁石Ｐに吸着された状態で（このとき、電磁石２１に吸着された遊技球Ｐは凹部１０Ｃ内に収まっているので、他の遊技球によってはじき飛ばされることがない。）、凹部１０Ｃの移動に伴ってベース板１７の前面に沿って滑りつつ移動し、電磁石２１がＯＦＦとなって球孔１６から遊技盤１の背面側に放出され、所定の入賞領域に導かれ、検出スイッチ（図示せず）で検出されて、所定の遊技作動（例えば賞球払出、図柄変動等）が行われる。
【００３０】
さらに、第３通電パターン（４．７５秒非通電／４．５秒通電／０．７５＋２秒非通電）では、回転体１１が６秒／周の速度で左周りに回転するのに対し、電磁石２１は、この凹部１０Ａが垂直方向の真上に向いた位置を原点として、４．７５秒非通電／４．５秒通電／０．７５＋２秒非通電のパターンで変換制御される。
【００３１】
この場合、基準となる凹部１０Ａの移動と電磁石２１の通電状態との関係は、図９の（ａ）に示すとおりで、この凹部１０Ａが上向きから電磁石２１はＯＦＦ（非通電）で始まって右斜め上向きになるまでにＯＦＦ（非通電）からＯＮ（通電）に変わり、凹部１０Ａが右斜め下向きとなるまでＯＮ（通電）が続いて、その後、ＯＦＦ（非通電）に変わる。そのため、この基準となる凹部１０Ａに遊技球Ｐが流入しても（遊技球Ｐはこの凹部１０Ａが上方に向いたタイミングで流入する）、遊技球Ｐが流入した凹部１０Ａが球孔１６と連通する位置まで移動する前の右斜め下向きの状態で電磁石２１がＯＦＦ（非通電）に変わり、遊技球Ｐは電磁石２１に吸着されない状態となって、重力に基いて移動し、下方へ放出される。
【００３２】
それに対し、第３通電パターンの場合の、基準となる凹部１０Ａの左側の凹部１０Ｂの移動と電磁石２１の通電状態との関係は、図９の（ｂ）に示すとおりで、この凹部１０Ｂが左斜め下向きから左斜め上向きになるまで電磁石２１はＯＦＦ（非通電）で、左斜め上向きからＯＮ（通電）に変わり、凹部１０Ｂが再度右斜め上向きになるまでＯＮ（非通電）が続いて、その後、ＯＦＦ（非通電）に変わる。そして、その間、電磁石２１は凹部１０Ｂに露出する。そのため、この左側の凹部１０Ｂに遊技球Ｐが流入すると（遊技球Ｐはこの凹部１０Ｂが上方に向いたタイミングで流入する）、遊技球Ｐは電磁石Ｐに吸着された状態で（このとき、電磁石２１に吸着された遊技球Ｐは凹部１０Ｂ内に収まっているので、他の遊技球によってはじき飛ばされることがない。）、凹部１０Ｂの移動に伴ってベース板１７の前面に沿って滑りつつ移動し、電磁石２１がＯＦＦとなって球孔１６から遊技盤１の背面側に放出され、所定の入賞領域に導かれ、検出スイッチ（図示せず）で検出されて、所定の遊技作動（例えば賞球払出、図柄変動等）が行われる。
【００３３】
また、第３通電パターンの場合の、基準となる凹部１０Ａの右側の凹部１０Ｃの移動と電磁石２１の通電状態との関係は、図９の（ｃ）に示すとおりで、この凹部１０Ｃが右斜め下向きから左斜め下向きになるまで電磁石２１はＯＦＦ（非通電）で、左斜め下向きからＯＮ（通電）に変わり、凹部１０Ｃが再度左斜め上向きになるまでＯＮ（非通電）が続いて、その後、ＯＦＦ（非通電）に変わる。そのため、この右側の凹部１０Ｃに遊技球Ｐが流入しても（遊技球Ｐはこの凹部１０Ｃが上方に向いたタイミングで流入する）、遊技球Ｐは電磁石２１に吸着されず、重力に基いて移動し、凹部１０Ｃが左水平となった後、下方へ放出される。
【００３４】
このように、各凹部１０Ａ，１０Ｂ，１０Ｃに流入した遊技球の振り分け先は、電磁石２１の通電状態によって決まり、複数個の凹部１０Ａ，１０Ｂ，１０Ｃのどれに流入したものが入賞領域に振り分けられるのは、遊技者には容易に分からない。しかも、その電磁石２１の通電パターンは複数あって、所定のタイミング毎に選択されるため、通電状態は遊技者には全く分からない。そのため、遊技球が回転体の凹部に流入しても、その遊技球がどのような挙動をするかは直ぐには分からず、振り分け先の予測がつかず、興趣が損なわれない。
【００３５】
なお、回転体１１に設ける凹部の数は、３個に限られたものではない。また、電磁石２１の通電／非通電状態の変換制御のパターン（通電パターン）は、上記の例に限られたものではない。
【００３６】
図１０および図１１は本発明の実施の形態の第２例を示している。図１０は振分装置の分解斜視図、図１１は振分装置の遊技盤に取り付けた状態の断面正面図である。振分装置は、このように、ベース板の前面に電磁石を固定配置し、回転体の凹部背面側に電磁石が露出するよう構成してもよい。
【００３７】
この実施の形態（第２例）のパチンコ機の振分装置２０６の具体的構造は、図１０および図１１に示すとおりで、略円柱状で中心部に背面側から後述のモータ１３の回転軸１２を嵌挿し凹凸嵌合で固定する軸固定孔２０８が形成され、遊技盤の盤面を流下する遊技球を流入可能とするよう外周面から径方向に掘り下げた形状で背面側が全面開放された複数個（図示の例では３個、但し、これに限らない）の凹部２１０Ａ，２１０Ｂ，２１０Ｃが形成され、背面に後述の電磁石２２１との干渉を避ける溝２２６が形成された回転体２１１と、回転軸１２を介して回転体２１１を回転駆動するモータ１３と、略円板状で、中心部にモータ１３の回転軸１２を挿通させる挿通孔２１４が形成されるとともに、挿通孔２１４から偏心した所定位置（基準となる凹部２１０Ａが垂直方向の真上に向いた位置を原点として正面視にて右方向に約６０度の位置）に球孔１６が形成されたベース板２１７と、ベース板２１７の前面の所定位置（回転体２１１の凹部２１０Ａ，２１０Ｂ，２１０Ｃに背面側から臨む位置の周方向の下部略３／４を占める範囲）に凹部２１０Ａ，２１０Ｂ，２１０Ｃの移動軌跡に沿って円弧状に配設固定された電磁石２２１とで構成されている。
【００３８】
この例でも、振分装置２０６は、モータ１３で駆動されて回転体２１１が常時６秒／周の速度で正面視にて左周りに回転する。そして、所定のタイミング毎（図１１に示すように基準となる凹部２１０Ａが垂直方向の真上に向いた位置を原点として１２秒毎）に、先の第１例と同様に設定された通電パターンが選択され、主基板により電磁石２２１の通電／非通電状態の変換制御が行われる。その他の構成および作用は先の第１例の場合と同様である。
【００３９】
そして、各凹部２１０Ａ，２１０Ｂ，２１０Ｃに流入した遊技球の振り分け先は、電磁石２２１の通電状態によって決まり、複数個の凹部２１０Ａ，２１０Ｂ，２１０Ｃのどれに流入したものが入賞領域に振り分けられるのは、遊技者には容易に分からない。しかも、その電磁石２２１の通電パターンは複数あって、所定のタイミング毎に選択されるため、通電状態は遊技者には全く分からない。そのため、遊技球が回転体の凹部に流入しても、その遊技球がどのような挙動をするかは直ぐには分からず、振り分け先の予測がつかず、興趣が損なわれない。
【００４０】
この場合も、回転体２１１に設ける凹部の数は、３個に限られたものではない。また、電磁石２２１の通電／非通電状態の変換制御のパターン（通電パターン）は、上記の例に限られたものではない。
【００４１】
図１２および図１３は本発明の実施の形態の第３例を示している。図１２は振分装置の分解斜視図、図１３は振分装置の遊技盤に取り付けた状態の断面正面図である。振分装置は、このように、ベース板に、回転体を外周側から覆うとともに遊技球の流入口を形成する周壁を設け、回転体の凹部の移動軌跡上の所定領域（周壁の開放孔に対応する位置）にのみ、ベース板の前面側から凹部に露出するよう電磁石を固定配置する構成としてもよい。
【００４２】
この実施の形態（第３例）のパチンコ機の振分装置３０６の具体的構造は、図１２および図１３に示すとおりで、略円柱状で中心部に背面側から後述のモータ１３の回転軸１２を嵌挿し凹凸嵌合で固定する軸固定孔２０８が形成され、遊技盤の盤面を流下する遊技球を流入可能とするよう外周面から径方向に掘り下げた形状で背面側が全面開放された複数個（図示の例では３個、但し、これに限らない）の凹部２１０Ａ，２１０Ｂ，２１０Ｃが形成され、背面に後述の電磁石２２１との干渉を避ける溝２２６が形成された回転体２１１と、回転軸１２を介して回転体２１１を回転駆動するモータ１３と、略円板状で、中心部にモータ１３の回転軸１２を挿通させる挿通孔（図示せず）が形成されるとともに、該挿通孔から偏心した所定位置（基準となる凹部２１０Ａが垂直方向の真上に向いた位置を原点として正面視にて右方向に約６０度の位置）に球孔１６が形成されたベース板３１７と、回転体２１１を外周側から覆うとともに上部に遊技球の流入口３２７を形成し下部に開放孔３２８を形成するようベース板３１７の前面に固定された周壁３２９と、ベース板３１７の前面の所定位置（回転体２１１の凹部２１０Ａ，２１０Ｂ，２１０Ｃに背面側から臨み、且つ開放孔３２８に対応する位置に、凹部２１０Ａ，２１０Ｂ，２１０Ｃの移動軌跡に沿って円弧状に配設固定された電磁石３２１とで構成されている。
【００４３】
この例でも、振分装置３０６は、モータ１３で駆動されて回転体２１１が常時６秒／周の速度で正面視にて左周りに回転する。そして、所定のタイミング毎（図１３に示すように基準となる凹部２１０Ａが垂直方向の真上に向いた位置を原点として１２秒毎）に、先の第１例と同様に設定された通電パターンが選択され、主基板により電磁石３２１の通電／非通電状態の変換制御が行われる。その他の構成および作用は先の第１例の場合と同様である。
【００４４】
そして、各凹部２１０Ａ，２１０Ｂ，２１０Ｃに流入した遊技球の振り分け先は、電磁石３２１の通電状態によって決まり、複数個の凹部２１０Ａ，２１０Ｂ，２１０Ｃのどれに流入したものが入賞領域に振り分けられるのは、遊技者には容易に分からない。しかも、その電磁石３２１の通電パターンは複数あって、所定のタイミング毎に選択されるため、通電状態は遊技者には全く分からない。そのため、遊技球が回転体の凹部に流入しても、その遊技球がどのような挙動をするかは直ぐには分からず、振り分け先の予測がつかず、興趣が損なわれない。
【００４５】
この場合も、回転体２１１に設ける凹部の数は、３個に限られたものではない。また、電磁石３２１の通電／非通電状態の変換制御のパターン（通電パターン）は、上記の例に限られたものではない。
【００４６】
図１４は本発明の実施の形態の第４例を示す振分装置の電磁石ユニットの分解斜視図である。振分装置の電磁石ユニットは、このように電磁石を複数個に分割して固定配置する構成としてもよい。
【００４７】
この実施の形態（第４例）の電磁石ユニット４２５の具体的構造は、図１４に示すとおりで、略円筒状の筒部１８とその一端に形成された取付フランジ部１９とで構成されるユニット本体４２０の筒部１８外周の所定位置に３分割された電磁石４２１が固定されて、それぞれに配線２２が接続され、また、取付フランジ部１９に一対の係合突起２３，２３が形成されたものとなっている。その他の構成および作用は先の第１例の場合と同様である。このように電磁石を複数個に分割した構成とすることにより、より複雑な変換制御を行って遊技の興趣を盛り上げることが可能となる。
【図面の簡単な説明】
【００４８】
【図１】本発明の実施の形態の第１例のパチンコ機の遊技盤の正面図である。
【図２】本発明の実施の形態の第１例のパチンコ機の振分装置の分解斜視図である。
【図３】本発明の実施の形態の第１例のパチンコ機の振分装置の電磁石ユニットの分解斜視図である。
【図４】本発明の実施の形態の第１例のパチンコ機の振分装置の遊技盤に取り付けた状態の斜視図である。
【図５】本発明の実施の形態の第１例のパチンコ機の振分装置の遊技盤に取り付けた状態の断面側面図である。
【図６】本発明の実施の形態の第１例のパチンコ機の振分装置の遊技盤に取り付けた状態の断面正面図である。
【図７】本発明の実施の形態の第１例のパチンコ機の振分装置の振分動作の説明図（ａ）、（ｂ）、（ｃ）である。
【図８】本発明の実施の形態の第１例のパチンコ機の振分装置の振分動作の説明図（ｄ）、（ｅ）、（ｆ）である。
【図９】本発明の実施の形態の第１例のパチンコ機の振分装置の振分動作の説明図（ｇ）、（ｈ）、（ｉ）である。
【図１０】本発明の実施の形態の第２例のパチンコ機の振分装置の分解斜視図である。
【図１１】本発明の実施の形態の第２例のパチンコ機の振分装置の遊技盤に取り付けた状態の断面正面図である。
【図１２】本発明の実施の形態の第３例のパチンコ機の振分装置の分解斜視図である。
【図１３】本発明の実施の形態の第３例のパチンコ機の振分装置の遊技盤に取り付けた状態の断面正面図である。
【図１４】本発明の実施の形態の第４例のパチンコ機の振分装置の電磁石ユニットの分解斜視図である。
【符号の説明】
【００４９】
１  遊技盤
４  遊技領域
６、２０６、３０６  振分装置
７  挿入孔
８、２０８  軸固定孔
９  切欠部
１０Ａ、１０Ｂ、１０Ｃ、２１０Ａ、２１０Ｂ、２１０Ｃ  凹部
１１、２１１  回転体
１２  回転軸
１３  モータ
１４、２１４  挿通孔
１５  開口部
１６  球孔
１７、２１７、３１７  ベース板
１８  筒部
１９  取付フランジ部
２０  ユニット本体
２１、２２１、３２１  電磁石
２３  係合突起
２４  係合穴
２５、４２５  電磁石ユニット
２２６  溝
３２８  開放孔
【図１】
2005287847.tif 000003
【図２】
2005287847.tif 000004
【図３】
2005287847.tif 000005
【図４】
2005287847.tif 000006
【図５】
2005287847.tif 000007
【図６】
2005287847.tif 000008
【図７】
2005287847.tif 000009
【図８】
2005287847.tif 000010
【図９】
2005287847.tif 000011
【図１０】
2005287847.tif 000012
【図１１】
2005287847.tif 000013
【図１２】
2005287847.tif 000014
【図１３】
2005287847.tif 000015
【図１４】
2005287847.tif 000016